(57)【要約】【課題】センサ検知部を反射板の内側に設けながらも意匠性を向上させるとともに調整スイッチを保護することができる天井埋込形照明器具を提供することを目的とする。【解決手段】本実施形態によれば、調整スイッチ６２が反射板５の外側５５に位置するように照明器具１に設けられたことにより、意匠性を高めることができる。また、光源３からの照射光が調整スイッチ６２に直接照射されないことにより、紫外線等による劣化を防ぐことができる。【選択図】図３
2005228581.tif 000002
【特許請求の範囲】
【請求項１】
天井に埋め込まれる器具本体と；
一端側に投光開口および他端側に光源挿通孔を有し、器具本体内に設けられる反射板と；
反射板の光源挿通孔を介して反射板内に設けられる光源と；
投光開口の内側に位置し、かつ、投光開口の外方に向くように設けられるセンサ検知部と；
センサ検知部からの検知信号に基づいて光源を点灯させる点灯保持時間の調整を行い、かつ、天井の内側であって、反射板の内側から見えない位置に設けられる調整スイッチと；
を具備することを特徴とする天井埋込形照明器具。
【請求項２】
センサ検知部および調整スイッチは、調整スイッチが反射板の外側に位置するように反射板に取付けられており、さらに反射板、センサ検知部および調整スイッチが器具本体から一体で脱着可能に形成されていることを特徴とする請求項１記載の天井埋込形照明器具。
【発明の詳細な説明】
【技術分野】
【０００１】
本発明は、センサを有する天井埋込形照明器具に関する。
【背景技術】
【０００２】
一般的に、この種の天井埋込形照明器具は、センサを設けていない一般形の天井埋込形照明器具と比較して意匠性を損なわない構造のものが望まれている。
【０００３】
このような天井埋込形照明器具において、光源の周りを囲う反射板の投光開口の内面に突出部を設け、この突出部にセンサ検知部を設けることで、一般形の天井埋込形照明器具と略同じイメージで使用することができる技術が知られている（例えば、特許文献１参照。）。
【０００４】
そして、上記従来技術においては、センサ検知部からの検知信号に基づいて光源を点灯させる点灯保持時間の調整を行う調整スイッチ等の調整手段を反射板内側面に配置することで設置後に調整手段を操作することができるということも開示されている。
【特許文献１】特開２００２−１５７９１６号公報（第２−４頁、図１）
【発明の開示】
【発明が解決しようとする課題】
【０００５】
しかしながら、従来の技術では、調整手段が反射板の投光開口から見えることがあるので、使用者に与える印象は好ましいものではないという課題があった。
【０００６】
また、仮に特許文献１に記載があるように、調整手段を反射板のグレアカット角より奥に設けることで、取付状態における使用者の通常の目線では見えないように構成したとしても、調整手段には光源からの光が直接照射されるので、紫外線、熱等の影響により劣化する虞があった。
【０００７】
本発明は上記の点に鑑みなされたものであり、センサ検知部を反射板の内側に設けながらも意匠性を向上させるとともに調整スイッチを保護することができる天井埋込形照明器具を提供することを目的とする。
【課題を解決するための手段】
【０００８】
請求項１記載の天井埋込形照明器具は、天井に埋め込まれる器具本体と；一端側に投光開口および他端側に光源挿通孔を有し、器具本体内に設けられる反射板と；反射板の光源挿通孔を介して反射板内に設けられる光源と；投光開口の内側に位置し、かつ、投光開口の外方に向くように設けられるセンサ検知部と；センサ検知部からの検知信号に基づいて光源を点灯させる点灯保持時間の調整を行い、かつ、天井の内側であって、反射板の内側から見えない位置に設けられる調整スイッチと；を具備することを特徴としている。
【０００９】
請求項１の天井埋込形照明器具によれば、点灯保持時間の調整を行う調整スイッチが天井の内側であって、反射板の内側から見えない位置に設けられることにより、使用者が器具本体の取付状態において投光開口から反射板内部を見た際に調整スイッチが見えないので、意匠性を向上することができ、より一般形の天井埋込形照明器具に近いイメージで使用することができる。
【００１０】
また、光源からの光が調整スイッチに直接照射されないことにより、光源の照射光、および、反射板内の熱等の影響によって調整スイッチが劣化することを抑制することができる。
【００１１】
請求項２記載の天井埋込形照明器具は、請求項１記載の照明器具において、センサ検知部および調整スイッチは、調整スイッチが反射板の外側に位置するように反射板に取付けられており、さらに反射板、センサ検知部および調整スイッチが器具本体から一体で脱着可能に形成されていることを特徴としている。
【００１２】
請求項２の照明器具によれば、請求項１記載の作用効果に加えて、反射板、センサ検知部および調整スイッチが器具本体から一体に脱着可能で形成していることにより、調整スイッチを操作する際に反射板を器具本体から取り外すことで作業者の近くで調整スイッチを操作することが可能となり、調整スイッチの操作を容易にすることができる。
【００１３】
また、作業者の近くで調整スイッチの操作ができるので、高所での作業性および安全性を向上することができる。
【発明の効果】
【００１４】
請求項１の天井埋込形照明器具によれば、天井に埋め込まれる器具本体と；一端側に投光開口および他端側に光源挿通孔を有し、器具本体内に設けられる反射板と；反射板の光源挿通孔を介して反射板内に設けられる光源と；投光開口の内側に位置し、かつ、投光開口の外方に向くように設けられるセンサ検知部と；センサ検知部からの検知信号に基づいて光源を点灯させる点灯保持時間の調整を行い、かつ、天井の内側であって、反射板の内側から見えない位置に設けられる調整スイッチと；を具備することにより、使用者が器具本体の取付状態において投光開口から反射板内部を見た際に調整スイッチが見えないので、意匠性を向上することができ、より一般形の天井埋込形照明器具に近いイメージで使用することができる。
【００１５】
また、光源からの光が調整スイッチに直接照射されないことにより、光源の照射光、および、反射板内の熱等の影響によって調整スイッチが劣化することを抑制することができる。
【００１６】
また請求項２の天井埋込形照明器具によれば、請求項１の効果に加えて、センサ検知部および調整スイッチは、調整スイッチが反射板の外側に位置するように反射板に取付けられており、さらに反射板、センサ検知部および調整スイッチが器具本体から一体で脱着可能に形成されていることにより、調整スイッチを操作する際に反射板を器具本体から取り外すことで作業者の近くで調整スイッチを操作することが可能となり、容易に操作をすることができる。
【００１７】
また、作業者の近くで調整スイッチの操作ができるので、高所での作業性および安全性を向上することができる。
【発明を実施するための最良の形態】
【００１８】
以下、本発明の一実施の形態を図面を参照して説明する。
【００１９】
図１は本実施形態の照明器具の一部を切り欠いた状態を示す正面断面図、図２は図１の照明器具の要部を示した底面図、図３は図1の照明器具を天井に取付けた状態を示す正面図、図４は図１の照明器具から反射板を取り外した状態を示す説明図である。
【００２０】
天井埋込形照明器具である照明器具１は、図１、３に示すように、器具本体１０、ソケット２、光源３、反射板５、及びセンサユニット６を有するものであって、天井板７に形成された埋込穴７１を通じて殆どが天井板７内に埋込配置されるものである。
【００２１】
器具本体１０は、上部側に後述する反射板５と係止して保持する保持バネ８およびソケット２が設けられるとともに、このソケット２の横方向に延出する天板１１を有している。そして、天板１１には、光源３の点灯装置等の電気分品が収納されている収納ボックス１２、収納ボックス１２のさらに横方向に端子台１３が設けられている。
【００２２】
また器具本体１０は、天板１１から下方方向に３本の支柱１４を有しており、その下端側には天井板７の埋込穴７１の縁部に係止する枠部１９が設けられていることで、略筒状に本体部１０Ａを形成している。
【００２３】
また器具本体１０は、支柱１４のうちの２本の支柱１４Ａに照明器具１を天井板７に取付固定するための取付バネ１８が設けられる溝部１７を形成している。さらに、天板１１にはチェーンからなる反射板５の落下防止具１５が設けられている。
【００２４】
反射板５は、下方側である一端側に投光開口５１、上部である他方側に光源挿通孔５４が形成された略釣鐘形となっており、さらに上部側には器具本体１０の保持バネ８と係止する係止部５６が周方向に突出して設けられている。さらにまた、反射板５の一部をスリット状に切り欠いて後述するセンサユニット６を反射板５の内側に突出配置するためにセンサユニット開口部５２が形成されている。
【００２５】
センサユニット６は、ユニット本体６０にセンサ検知部６１、このセンサ検知部６１からの検知信号に基づいて光源３を点灯させる点灯保持時間の調整を行う調整スイッチ６２が設けられている。
【００２６】
センサ検知部６１は、ユニット本体６０の下方側に突出して設けられており、かつ、反射板５の投光開口５１の内側であって、投光開口５１の外方に向くように設けられている。そして、調整スイッチ６２は、センサ検知部６１よりも上方であって、反射板５のセンサユニット開口部５２から反射板５の外側５５であって、かつ、器具本体１０の枠部１９よりも内側に位置するようにユニット本体６０に設けられている。この調整スイッチ６２は、上下にスライド（図1で示した点線参照）することで光源３の点灯保持時間を可変することができるようになっているものである。
【００２７】
またセンサユニット６は、センサユニット取付金具６３により反射板５に固定されている。このセンサユニット取付金具６３の一端は、センサユニット開口部５２よりも上方の反射板５の外側である接合部６０に溶接等で取付けられており、他端は屈曲部が形成されて、この屈曲部にネジ６４を介することでセンサユニット本体６を固定するものである。
【００２８】
光源３は、蛍光ランプであって、透光性を有するガラス管がＵ字状に複数個形成されて一つの放電路構成しているものであり、ガラス管の内面には、蛍光体被膜が形成されるとともに、ガラス管内には所定量の水銀、希ガス等が封入されている。そして、このガラス管の一端側には口金３１が設けられている。
【００２９】
ここで、本実施形態の照明器具３の天井板７への取付状態、および、器具本体１０から反射板５を取外した状態について図２、３、４を参照して説明する。
【００３０】
図３に示すように、照明器具１は、天井板７の埋込穴７１の縁部周辺に枠部１９が位置するように天井板７内に埋込配置される。このとき取付バネ１８が溝部１７を摺動し、取付バネ１８の先端が天井板７の表面に位置することで照明器具１が固定する。
【００３１】
このようにして照明器具１が天井板７に配置された状態では、図２で示したように、反射板５の内側５３が投光開口５１を通じて使用者から目視されるような構成となる。したがって、使用者が照明器具１を見上げた場合には反射板５の内側５３に光源３およびセンサ検知部６１が見えるが、調整スイッチ６２は見えることはない。
【００３２】
次に、調整スイッチ６２を調整する場合は、図４に示したように、器具本体１０の本体部１０Ａ内に収納されている反射板５に下方への力を加える。すると、保持バネ８が外側に可動することで、保持バネ８と反射板５の係止部５６の係止が解除し、反射板５のみを照明器具１から取外すことができる。そして、反射板５にはセンサユニット６固定されているので、反射板５とともにセンサユニット６も下方へ移動することになり、反射板５の外側５５に位置する調整スイッチ６２が作業者から目視できるようになるので、使用者は適宜調整スイッチ６２を調整することができる。
【００３３】
そして、調整スイッチ６２の調整後は、反射板５を上方へ持ち上げて係止部５５と保持バネ８とを係止させ、反射板５を再び照明器具１に固着させることで作業が終了する。
【００３４】
なお、反射板５の取り外しの際には、落下防止具１５の一端が反射板５に取着しているので、完全に反射板５が落下しないようになっている。
【００３５】
本実施形態によれば、調整スイッチ６２が反射板５の外側５５に位置するように照明器具１に設けられたことにより、使用者が照明器具１の天井板７への取付状態において投光開口５１から反射板５の内部５３を見た際に調整スイッチ６２が見えないので、意匠性を高めることができる。
【００３６】
また、光源３からの照射光が調整スイッチ６２に直接照射されないことにより、紫外線等による劣化を防ぐことができる。さらに、光源３の熱により高温になる反射板内で熱的影響も受けることがないので、熱による劣化も防ぐことができる。これにより、調整スイッチ６２の構成材料の選択の自由度が増すので、製造コストを抑制するも可能である。
【００３７】
また、調整スイッチ６２を反射板５の外側５５に位置させるように反射板５にスイリット状のセンサユニット開口部５２を形成したので、センサユニット開口部５２近郊の反射板５の内側５３の熱は外方へ逃げやすくなっている。したがって、反射板５の内側に設けられているセンサユニット６のユニット本体６０内に収納された種々の電気部品が反射板５内の温度により不具合が生じることを抑制することができる。
【００３８】
一方、上記特許文献１に記載の技術においては、例えば調整スイッチ６２を操作しようとすると照明器具１に反射板５が固定されている状態で作業者が反射板５の内側に手を差し入れて操作することになるので、より高所での作業となり、手間であるとともに安全性も高いものではない。
【００３９】
これに対し、本実施形態は、反射板５およびセンサユニット６が照明器具１から一体で脱着可能に形成されていることにより、調整スイッチ６２を操作する際に反射板５を照明器具１から取り外すことで作業者の近くで調整スイッチ６２の操作をすることが可能となるので、調整スイッチ６２の操作を容易にすることができる。
【００４０】
また、調整スイッチ６２は、反射板５の外側５５でありながら、器具本体１０の枠部１９よりも内側に位置するように設けられていることにより、反射板５を照明器具１から取外す際に調整スイッチ６２が器具本体１０に干渉しないので、作業性を低下させることはない。
【００４１】
また、天井板７よりもさらに作業者の近くで調整スイッチ６２の操作ができるので、高所での作業性および安全性を向上することができる。
【００４２】
なお、本実施形態では、調整スイッチ６２を反射板５へ設けたが、例えば、調整スイッチ６２を器具本体１０の天板１１へ設ける構成であってもよく、その場合には、センサ検知部６１とは配線を介して接続されるような形態でもよい。
【図面の簡単な説明】
【００４３】
【図１】第一実施形態の照明器具の一部を切り欠いた状態を示す正面断面図
【図２】同上図１の照明器具の要部を示した底面図
【図３】同上図１の照明器具を天井に取付けた状態を示す正面図
【図４】同上図１の照明器具から反射板を取り外した状態を示す説明図
【符号の説明】
【００４４】
１…照明器具、１０…器具本体、３…光源、５…反射板、６１…センサ検知部、６２…調整スイッチ
【図１】
2005228581.tif 000003
【図２】
2005228581.tif 000004
【図３】
2005228581.tif 000005
【図４】
2005228581.tif 000006